(57)【要約】【課題】必要且つ十分な精度のサンプリングクロックの周波数を設定し、必要最小限の時間だけ供給する、測定精度と低消費電力を両立した血糖計を提供する。【解決手段】Ａ／Ｄ変換器からデジタルデータを取得するためのクロックは、要求される分解能と血糖値の測定曲線の傾きに基づいて決定する。血糖計の動作モードに応じてサンプリングクロックを適切に設定し、特に測定開始を決定するモードでは高速のクロックパルスを連続して生成し、点着を検出した時点からタイマ等の計測動作を開始すると共に、クロックパルスの生成を間歇的なものに切り替えるように、クロック生成部を構成する。【選択図】図５
2011064596.tif 000002
【特許請求の範囲】
【請求項１】
測定チップが装着された状態で血液を前記測定チップに付着させて血液中のグルコース量に応じた信号を出力する血糖値測定部と、
前記信号をデジタルデータに変換するＡ／Ｄ変換器と、
前記デジタルデータに基づいて前記測定チップに血液が付着したか否かを判定する点着判定部と、
前記デジタルデータに基づいて血糖値を得る測定処理部と、
前記Ａ／Ｄ変換器から前記デジタルデータを取得するためのクロックであり、前記クロックの周期が、要求分解能を血糖値反応曲線の所定の時間における傾きで除算した値以下であるクロックを生成するクロック生成部と
を具備する血糖計。
【請求項２】
前記血糖値測定部は、前記測定チップに光を照射する発光素子と、前記Ａ／Ｄ変換器に接続されて前記測定チップから得られる反射光を受光して電気信号に変換する受光素子とを具備し、
前記クロック生成部は、前記点着判定部が前記測定チップに血液が付着したと判定するまでは前記クロックを連続的に出力し、前記点着判定部が前記測定チップに血液が付着したと判定したら前記クロックを間歇的に出力するものであり、
前記測定処理部は、前記点着判定部が前記測定チップに血液が付着したと判定したら血糖値の測定処理に要する所定時間の計測を開始するものである、
請求項１記載の血糖計。
【請求項３】
更に、
前記測定チップが前記血糖値測定部に装着されたか否かを判定するチップ装着判定部と、
前記チップ装着判定部が前記測定チップが前記血糖値測定部に装着されたと判断したら、前記測定チップに前記血液が付着していない状態で前記Ａ／Ｄ変換器から基準値となる前記デジタルデータを取得する基準値測定部と、
前記測定処理部が測定処理を終了した後、前記測定チップが前記血糖値測定部から離脱されたか否かを判定するチップ離脱判定部と、
を具備し、
前記点着判定部は前記基準値測定部が前記基準値を取得した後に実行されるものである、
請求項２記載の血糖計。
【発明の詳細な説明】
【技術分野】
【０００１】
本発明は、血糖計に適用して使用するのに好適な技術に関する。
より詳細には、血糖計に必要な測定精度を確保しつつ、電力消費を極力低減した血糖計に関する。
【背景技術】
【０００２】
周知のように、糖尿病は膵臓のインスリン分泌異常やインスリンに対する感受性低下に起因する。特にインスリン分泌が停止した１型の糖尿病患者では食事前に血糖値を測定し、その値に応じてインスリンを投与する必要がある。
従来、家庭内で患者自ら或はその家族が血糖値を簡便に測定するために、出願人は、小型で自己測定を目的とした血糖値測定装置（以下「血糖計」）を開発し、製造販売している。また、出願人は病棟向けに複数の患者に対応可能な各種の管理機能を備えた血糖計の開発を進めている。
【０００３】
血糖計は、血液を試薬に接触させて生じる生化学反応により、グルコース値を色濃度や電気信号に変換する原理を用いて、血糖値を測定する機器である。この生化学反応は反応が安定するまでに時間がかかる。
ところで、病棟では多数の患者を相手に血糖値の計測を迅速に行わなくてはならない。つまり、生化学反応が安定するまで待っていられない、という事情がある。そこで、生化学反応が安定するまで待つのではなく、反応途中の生化学反応の過渡応答に基づいて、より迅速に血糖値を求める方法が考えられている。例えば、特許文献１や特許文献２に示されるように、所定の計算式等に基づいて反応終点を予測する方法が知られている。
【先行技術文献】
【特許文献】
【０００４】
【特許文献１】特開２００４−１４４７５０号公報
【特許文献２】特開２００６−７１４２１号公報
【発明の概要】
【発明が解決しようとする課題】
【０００５】
生化学反応の過渡応答に基づいて迅速に血糖値を求める場合、厳密な時間の管理が必要になる。生化学反応の開始である、血液が試薬に接触した瞬間から、所定の計測時間を正確に計測しなければならない。
グルコース値を色濃度で観測する方式の場合、ＬＥＤ等の発光素子を用いて試薬が含まれている試験紙に光を照射し、その反射光をフォトダイオード等の受光素子で検出し、Ａ／Ｄ変換器でデジタルデータに変換する。Ａ／Ｄ変換器に供給するサンプリングクロックの周波数が低いと、血液が試薬に接触した瞬間を正確に検出することができなくなる。したがって、反応開始を正確に検出するために、サンプリングクロックの周波数を十分高く設定する必要がある。しかし、Ａ／Ｄ変換器は携帯型電子機器である血糖計にとって電力消費が大きい部品である。このため、サンプリングクロックの周波数はできるだけ低い方が望ましい。
【０００６】
本発明はかかる点に鑑みてなされたものであり、必要且つ十分な精度のサンプリングクロックの周波数を設定し、必要最小限の時間だけ供給する、測定精度と低消費電力を両立した血糖計を提供することを目的とする。
【課題を解決するための手段】
【０００７】
上記課題を解決するために、本発明の血糖計は、測定チップが装着された状態で血液を測定チップに付着させて血液中のグルコース量に応じた信号を出力する血糖値測定部と、信号をデジタルデータに変換するＡ／Ｄ変換器と、デジタルデータに基づいて測定チップに血液が付着したか否かを判定する点着判定部と、デジタルデータに基づいて血糖値を得る測定処理部と、Ａ／Ｄ変換器からデジタルデータを取得するためのクロックであり、クロックの周期が、要求分解能を血糖値反応曲線の所定の時間における傾きで除算した値以下であるクロックを生成するクロック生成部とを具備する。
【０００８】
Ａ／Ｄ変換器からデジタルデータを取得するためのクロックは、要求される分解能と血糖値の測定曲線の傾きに基づいて決定する。
血糖計の動作モードに応じてサンプリングクロックを適切に設定し、特に測定開始を決定するモードでは高速のクロックパルスを連続して生成し、点着を検出した時点からタイマ等の計測動作を開始すると共に、クロックパルスの生成を間歇的なものに切り替えるように、クロック生成部を構成する。
【発明の効果】
【０００９】
本発明により、必要且つ十分な精度のサンプリングクロックの周波数を設定し、必要最小限の時間だけ供給する、測定精度と低消費電力を両立した血糖計を提供できる。
【図面の簡単な説明】
【００１０】
【図１】本発明の実施形態の例である、血糖計の外観斜視図である。
【図２】本発明の実施形態の例である、血糖計の上面図である。
【図３】光学測定部の模式図である。
【図４】血糖計の内部ブロック図である。
【図５】血糖計の機能ブロック図である。
【図６】制御部が低速クロック生成部又は高速クロック生成部を制御する状態を示す表である。
【図７】高速クロック生成部の機能ブロック図である。
【図８】低速クロック生成部の機能ブロック図である。
【図９】低速クロック生成部及び高速クロック生成部が生成するクロックパルスを示すタイムチャートである。
【図１０】高速シーケンサが生成するタイミングパルス及びサンプリングクロックを示すタイムチャートである。
【図１１】低速シーケンサが生成するタイミングパルス及びサンプリングクロックを示すタイムチャートである。
【図１２】血糖値を測定する際に、検量線データを用いて算出した測定値を時間の経過と共に示す血糖値反応曲線のグラフである。
【発明を実施するための形態】
【００１１】
以下、本発明の実施の形態を、図１乃至図１２を参照して説明する。
【００１２】
図１は、本発明の実施形態の例である、血糖計の外観斜視図である。
図２は、本発明の実施形態の例である、血糖計の上面図である。
【００１３】
血糖計１０１は、医師や看護師或いは患者本人等が、携帯電話のように手に持って操作して、血糖値を計測するための携帯型機器であり、このために片手で容易に持てる形状及び重量で形成されている。
血糖計１０１は、単に血糖値を測定するだけでなく、付加的な機能として、患者の氏名やＩＤを確認し、患者毎に測定値データを格納し、必要である場合には患者毎に投与するべき適切な薬剤の確認等を行うことができる。
【００１４】
血糖計１０１の筐体１０２は、細長い合成樹脂の容器である。筐体１０２の長手方向の先端には、血糖値等を測定する金属でできた円筒形状の光学測定部１０３が設けられている。血糖値測定部ともいえる光学測定部１０３の内部には、後述するＬＥＤとフォトダイオードが内蔵されている。
光学測定部１０３は血糖測定チップ（以下「測定チップ」）の着脱が可能なように形成されている。使用済みの測定チップは、イジェクトレバー１０４を操作することで光学測定部１０３から取り外すことができる。
また、筐体１０２の前面には測定結果や確認事項等を表示する、ＬＣＤよりなる表示パネル１０５が設けられている。表示パネル１０５の横には、複数のボタンを有する操作パネル１０６が設けられている。
血糖計１０１の内部には、この他に筐体１０２に内蔵される図示しないリチウムイオンバッテリや、バーコードを読み取る図示しないバーコードリーダユニット、患者データや計測した血糖値データ等の送受信を行う図示しないＩｒＤＡインターフェース等を有するが、本発明に直接的には関係しないので詳細は割愛する。
【００１５】
図２には、血糖計１０１の外観からは直接的には見えないものの、測定器本体の内部にはプリント基板である回路基板２０２が内蔵されている。回路基板２０２には周知のマイコンが実装されている。マイコンはリチウムイオンバッテリの電力で動作し、操作パネル１０６から操作命令信号を受け、光学測定部１０３の内部のＬＥＤを駆動し、フォトダイオードを通じて所定の血糖値測定を行い、表示パネル１０５に測定結果等を表示する。
【００１６】
血糖計１０１の基本的な血糖測定の仕組みは、従来技術と同様である。以下、概略を簡単に説明する。
光学測定部１０３に測定チップ３０８を取り付け、測定対象者の血液を測定チップ３０８に吸引させる。この測定チップ３０８には、ポリエーテルサルホン等の多孔質膜でできた試験紙５１１が内蔵されている。そして、測定チップ３０８に吸引された血液は、試験紙５１１に到達すると、試験紙５１１に含まれている試薬と反応して、発色する。この発色反応には数秒から１０数秒前後の時間を要するが、この反応は、周囲の気温によって影響を受ける。
発光素子であるＬＥＤが発光する光を試験紙５１１に当て、試験紙５１１からの反射光を受光素子であるフォトダイオードにて受光する。そして、所定の反応時間を経過した後に、受光素子から得られたアナログの受光強度信号をデジタル値に変換した後、このデジタル値を血糖値に変換して表示パネル１０５に表示する。
なお、血糖値計側の仕組みは、発色試薬を利用した前記光学測定方式に限らず、電気化学センサー方式など、従来から血糖測定に使用され得る仕組みを採用することができる。
【００１７】
前述のように、血糖値を測定する際、気温の高低によって試験紙５１１に含まれている試薬の反応時間が変化する。このため、血糖計１０１内部のマイコンの構成要素であるＲＯＭには、周囲の気温に対する反応の補正値が記憶されている。そして、ＲＯＭに格納されているマイコンのプログラムは、血糖値計測時の気温を検出して適切な計測値を算出するように構成されている。
ところが、測定中に気温が変化してしまうと、この補正値が正しく導き出せない。このため、誤った血糖値を導き出してしまう虞が極めて高い。つまり、測定中に気温が変化してはならない。勿論、測定の直前においても、気温に変化が生じていれば、その変化が落ち着くまで血糖値計測処理は控えなければならない。
【００１８】
血糖計１０１の周囲の気温が安定していることを正しく検出するために、血糖計１０１には二つの温度計測素子が設けられている。
一つは、血糖計１０１の筐体の中心部分から離れ、筐体から熱的に独立した位置に設けられ、外気の温度（以下「外気温」）を計測する外気温センサである。
もう一つは、血糖計１０１の筐体の中心部分に設けられ、筐体内部の温度（以下「内部温」）を計測する内部温センサである。
この二つの温度センサが、ある一定時間を経過しても変化せず、且つ温度センサ同士の値の差が小さければ、血糖計１０１の筐体全体が外気温に「馴染んだ」、つまり外気温と血糖計１０１の筐体内部との温度差が、血糖値を正しく測定するに必要な程度に十分小さくなったことと判断できる。
【００１９】
回路基板２０２には、内部温センサである内部温サーミスタ２０３が、マイコン等を構成する他の回路部品と同様に実装されている。
一方、外気温センサである外気温サーミスタ３０７は光学測定部１０３の中に設けられている。
図３は、光学測定部１０３の概略図である。
ステンレス等の金属製の筒３０２の中には、赤ＬＥＤ３０３と、緑ＬＥＤ３０９と、フォトダイオード３０４が基台３０５に設けられている。
基台３０５は、防塵のために薄いガラス板でできたガラス窓３０６によって外気から遮断されている。ガラス窓３０６には白金のワイヤーが印刷されており、これが外気温サーミスタ３０７を構成する。
筒３０２の内部には、測定チップ３０８を脱着可能にするための図示しない保持機構が組み込まれている。測定チップ３０８は装着されると試験紙５１１がガラス窓３０６に相対するように配置される。
【００２０】
赤ＬＥＤ３０３は、測定チップ３０８に装着されている試験紙５１１に、赤色の光を照射する。赤ＬＥＤ３０３は、後述する全ての動作モードにおいて発光駆動される。
緑ＬＥＤ３０９は、測定チップ３０８に装着されている試験紙５１１に、緑色の光を照射する。緑ＬＥＤ３０９は、後述する複数の動作モードのうち、測定精度を要求されるモードにおいて発光駆動される。
【００２１】
外気温サーミスタ３０７は、外気温を迅速且つ適切に計測するために、熱容量を小さくする必要がある。このため、外気温サーミスタ３０７を構成するガラス板は、直径６ｍｍ、厚み０．５ｍｍという大きさで構成されている。このガラス板の熱容量はおよそ４ｍＪ／Ｋである。
【００２２】
［ハードウェア］
図４は血糖計１０１の内部ブロック図である。
血糖計１０１は、マイコンよりなるシステムであり、ＣＰＵ４０２、ＲＯＭ４０３及びＲＡＭ４０４と、それらを接続するバス４０５から構成されている。バス４０５には、上記の構成以外に、主にデータ入力機能を提供する部分と、データ出力機能を提供する部分も接続されている。
【００２３】
血糖計１０１のデータ入力機能に該当する部位には、血糖計１０１にとって重要な血糖値測定データを得るための光学測定部１０３と、温度データを得るための内部温サーミスタ２０３及び外気温サーミスタ３０７、リアルタイムクロック４０７、そして操作パネル１０６であるボタン操作部４０８がある。
【００２４】
光学測定部１０３を構成する赤ＬＥＤ３０３には、赤ＬＥＤ３０３を発光駆動するためのドライバ４１０が接続されている。
光学測定部１０３を構成する緑ＬＥＤ３０９には、緑ＬＥＤ３０９を発光駆動するためのドライバ４２４が接続されている。
ドライバ４１０及びドライバ４２４はＤ／Ａ変換器４１１によって時分割にて駆動制御される。時分割駆動の詳細については後述する。
【００２５】
光学測定部１０３を構成するフォトダイオード３０４には、Ｉ／Ｖ変換器４１６を介してＡ／Ｄ変換器４１３が接続されている。
赤ＬＥＤ３０３及び緑ＬＥＤ３０９は、適切な強度の光を測定チップ３０８内の試験紙５１１に照射する必要があるので、予め後述する不揮発性ストレージ４１４に記憶してある発光強度データに基づいて発光するように制御される。
つまり、血糖計１０１を構成するマイコンを動作させる、ＲＯＭ４０３に格納されているプログラムは、発光強度データを不揮発性ストレージ４１４から読み出し、Ｄ／Ａ変換器４１１でアナログの電圧信号に変換後、ドライバ４１０で電力増幅して、赤ＬＥＤ３０３を発光駆動する。同様に、プログラムは発光強度データを不揮発性ストレージ４１４から読み出し、Ｄ／Ａ変換器４１１でアナログの電圧信号に変換後、ドライバ４２４で電力増幅して、緑ＬＥＤ３０９を発光駆動する。
【００２６】
赤ＬＥＤ３０３及び緑ＬＥＤ３０９が発する光は、測定チップ３０８の試験紙５１１に照射され、試験紙５１１で反射した反射光はフォトダイオード３０４で検出される。
フォトダイオード３０４が受光した光の強度によって変化する、フォトダイオード３０４の信号電流は、Ｉ／Ｖ変換器４１６で信号電圧に変換され、さらに、Ａ／Ｄ変換器４１３によって数値データに変換される。そして、この変換された数値データがＲＡＭ４０４及び不揮発性ストレージ４１４の所定領域に記録される。
【００２７】
また、血糖計１０１は内部温サーミスタ２０３と外気温サーミスタ３０７を備えており、これらのサーミスタの抵抗変化によって、血糖計１０１が存在する環境の外気温と、血糖計１０１自体の内部温を測定できる。前述のフォトダイオード３０４と同様に、サーミスタの抵抗値はＡ／Ｄ変換器４１３によって数値化され、数値データはＲＡＭ４０４及び不揮発性ストレージ４１４の所定領域に記録される。なお、受光強度と気温を同時に測定する必要はないので、Ａ／Ｄ変換器４１３はフォトダイオード３０４とサーミスタとで時分割で共用されている。
【００２８】
リアルタイムクロック４０７は周知の日時データ出力機能を提供するＩＣであり、多くのマイコンやパソコン等に標準搭載されているものである。
本発明の実施の形態の血糖計１０１では、患者データと血糖値を測定した時点の日時情報を紐付けて、不揮発性ストレージ４１４に記憶する必要があるので、リアルタイムクロック４０７が設けられている。
【００２９】
血糖計１０１のデータ出力機能としては、表示パネル１０５であるＬＣＤ表示部４１５がある。
ＬＣＤ表示部４１５には、ＲＯＭ４０３に格納され、ＣＰＵ４０２によって実行されるプログラムによって、様々な画面が表示される。
【００３０】
血糖計１０１内部のマイコンを構成する要素のうち、データ入出力機能の他に、データ記憶機能を提供する、ＥＥＰＲＯＭよりなる不揮発性ストレージ４１４がある。この不揮発性ストレージ４１４には、患者の情報や血糖計１０１の設定データ、精度試験データ等が格納される。不揮発性ストレージ４１４に格納されたデータは、図示しない赤外線インターフェース或は無線インターフェース等を通じて、外部機器とやり取りされる。
【００３１】
［ソフトウェア］
図５は血糖計１０１の機能ブロック図である。マイコンが提供する機能に着目した図である。
赤ＬＥＤ３０３は、分圧抵抗Ｒ５０２とスイッチ５０３を通じて電源電圧が印加されている。
スイッチ５０３は、低速シーケンサ５０４及び高速シーケンサ５０５がそれぞれ出力する発光制御信号によってオン・オフ制御される。ＯＲゲート５０６は、低速シーケンサ５０４及び高速シーケンサ５０５が出力する発光制御信号をまとめてスイッチ５０３に与える。つまり、赤ＬＥＤ３０３は、低速シーケンサ５０４及び高速シーケンサ５０５によって発光制御される。
【００３２】
緑ＬＥＤ３０９も同様に、分圧抵抗Ｒ５０７とスイッチ５０８を通じて電源電圧が印加されている。
スイッチ５０８は、高速シーケンサ５０５が出力する発光制御信号によってオン・オフ制御される。つまり、緑ＬＥＤ３０９は、赤ＬＥＤ３０３と違い、高速シーケンサ５０５によってのみ発光制御される。
【００３３】
なお、スイッチ５０３は、実際はＤ／Ａ変換器４１１とドライバ４１０に相当する。スイッチ５０８も同様に、実際はＤ／Ａ変換器４１１とドライバ４２４に相当する。つまり、スイッチ５０３及びスイッチ５０８は単純にオン・オフ制御するだけではなく、マイコンによってドライバの抵抗値が制御される。
図５では、紙面及び説明の都合上、敢えて電流制御の説明を省略している。
【００３４】
赤ＬＥＤ３０３及び緑ＬＥＤ３０９が発する光は、測定チップ３０８の試験紙５１１に照射され、試験紙５１１で反射された反射光はフォトダイオード３０４で検出される。
フォトダイオード３０４のアノードには、分圧抵抗Ｒ５１０を通じて電源電圧が印加されている。フォトダイオード３０４は測定チップ３０８内部の試験紙５１１から赤ＬＥＤ３０３及び緑ＬＥＤ３０９の反射光を受光すると、信号電流が変化する。この信号電流はＩ／Ｖ変換器４１６を経てＡ／Ｄ変換器４１３ｂでデジタルデータに変換される。
【００３５】
Ａ／Ｄ変換器４１３ｂは、ＯＲゲート５１２を介して低速シーケンサ５０４及び高速シーケンサ５０５のいずれかから出力されるサンプリングクロックによって、フォトダイオード３０４の信号電流からＩ／Ｖ変換器４１６によって変換された電圧をデジタルデータに変換する。
【００３６】
Ａ／Ｄ変換器４１３ｂから出力されるデジタルデータは、チップ装着判定部５１３、基準値測定部５１４、点着判定部５１５、測定処理部５１６、そしてチップ離脱判定部５１７に入力される。
制御部５１８は、現在の動作モードを判定して、動作モードに応じて、チップ装着判定部５１３、基準値測定部５１４、点着判定部５１５、測定処理部５１６及びチップ離脱判定部５１７を選択的に駆動制御する。
【００３７】
血糖計１０１の最初の状態では、制御部５１８はチップ装着判定部５１３を動作させる。
チップ装着判定部５１３は、Ａ／Ｄ変換器４１３ｂから出力されるデジタルデータを受けて、光学測定部１０３に測定チップ３０８が装着されたか否かを判定する、プログラムの機能（サブルーチン或は関数）である。
チップ装着判定部５１３は、光学測定部１０３に測定チップ３０８が装着されたと判定すると、その旨を制御部５１８に報告する。
なお、チップ装着判定部５１３が動作しているときは、制御部５１８は低速クロック生成部５１９を制御して、赤ＬＥＤ３０３のみを発光駆動する。
【００３８】
チップ装着判定部５１３が、光学測定部１０３に測定チップ３０８が装着されたと判定したことを制御部５１８に報告したら、制御部５１８は次に基準値測定部５１４を動作させる。
基準値測定部５１４も、チップ装着判定部５１３と同様にプログラムの機能である。
基準値測定部５１４は、光学測定部１０３に装着された測定チップ３０８の試験紙５１１に、赤ＬＥＤ３０３及び緑ＬＥＤ３０９の光をそれぞれ照射する。そして、Ａ／Ｄ変換器４１３ｂから出力されるデジタルデータを受けて、試験紙５１１に血液が点着する以前の状態（初期状態）の反射光データを取得して、ＲＡＭ４０４に記憶する。
基準値測定部５１４は、初期状態の反射光データをＲＡＭ４０４に記憶させたら、動作の完了を制御部５１８に報告する。
なお、基準値測定部５１４が動作しているときは、制御部５１８は高速クロック生成部５２０を制御して、赤ＬＥＤ３０３及び緑ＬＥＤ３０９を発光駆動する。
【００３９】
基準値測定部５１４が、初期状態の反射光データをＲＡＭ４０４に記憶させたことを制御部５１８に報告したら、制御部５１８は次に点着判定部５１５を動作させる。
点着判定部５１５も、チップ装着判定部５１３及び基準値測定部５１４と同様にプログラムの機能である。
点着判定部５１５は、光学測定部１０３に装着された測定チップ３０８の試験紙５１１に、赤ＬＥＤ３０３及び緑ＬＥＤ３０９の光をそれぞれ照射する。そして、Ａ／Ｄ変換器４１３ｂから出力されるデジタルデータを受けて、反射光量の変化により、試験紙５１１に血液が点着したか否かを判定する。
点着判定部５１５は、試験紙５１１に血液が点着したと判断したら、その旨を制御部５１８に報告すると共に、高速クロック生成部５２０へ新たな制御信号を出力し、測定処理部５１６にも制御信号を出力する。
なお、点着判定部５１５が動作しているときは、制御部５１８は高速クロック生成部５２０を制御して、赤ＬＥＤ３０３及び緑ＬＥＤ３０９を発光駆動する。
【００４０】
測定処理部５１６は、点着判定部５１５が試験紙５１１に血液が点着したと判定したことによって出力される制御信号を受けると、測定処理を開始する。
測定処理部５１６も、チップ装着判定部５１３、基準値測定部５１４及び点着判定部５１５と同様にプログラムの機能である。
測定処理部５１６は、点着判定部５１５から出力される制御信号によって起動する。測定処理部５１６は、起動すると内部の図示しないタイマを動作させ、予め決められた時間を計時する。その時間は例えば９秒である。測定処理部５１６は、タイマが計時を完了する迄、光学測定部１０３に装着された測定チップ３０８の試験紙５１１に、赤ＬＥＤ３０３及び緑ＬＥＤ３０９の光をそれぞれ照射する。そして、タイマが計時を完了したら、Ａ／Ｄ変換器４１３ｂから出力されるデジタルデータを受けて、血糖値を算出する。測定処理部５１６は、算出した血糖値をＬＣＤ表示部に表示すると共に、不揮発性ストレージに記憶する。そして、制御部５１８に処理の終了を報告する。
なお、測定処理部５１６が動作しているときは、制御部５１８は高速クロック生成部５２０を制御して、赤ＬＥＤ３０３及び緑ＬＥＤ３０９を発光駆動する。
【００４１】
測定処理部５１６が、測定処理を完了したことを制御部５１８に報告したら、制御部５１８は次にチップ離脱判定部５１７を動作させる。
チップ離脱判定部５１７も、チップ装着判定部５１３、基準値測定部５１４、点着判定部５１５及び測定処理部５１６と同様にプログラムの機能である。
チップ離脱判定部５１７は、Ａ／Ｄ変換器４１３ｂから出力されるデジタルデータを受けて、反射光量の変化から、光学測定部１０３から測定チップ３０８が離脱されたか否かを判定する。
チップ離脱判定部５１７は、光学測定部１０３から測定チップ３０８が離脱されたと判定すると、その旨を制御部５１８に報告する。
なお、チップ離脱判定部５１７が動作しているときは、制御部５１８は低速クロック生成部５１９を制御して、赤ＬＥＤ３０３のみを発光駆動する。
【００４２】
制御部５１８は、チップ装着判定部５１３、基準値測定部５１４、点着判定部５１５、測定処理部５１６、そしてチップ離脱判定部５１７の動作制御を行うと共に、それぞれ動作する際に適切なＬＥＤ発光制御を実行する。
具体的には、制御部５１８は、チップ装着判定部５１３及びチップ離脱判定部５１７を動作させている時には、低速クロック生成部５１９を制御して、低速シーケンサ５０４から赤ＬＥＤ３０３とＡ／Ｄ変換器４１３ｂを動作させるクロックを出力させる。
また、制御部５１８は、基準値測定部５１４、点着判定部５１５及び測定処理部５１６を動作させている時には、高速クロック生成部５２０を制御して、高速シーケンサ５０５から赤ＬＥＤ３０３と緑ＬＥＤ３０９、そしてＡ／Ｄ変換器４１３ｂを動作させるクロックを出力させる。
【００４３】
図６は制御部５１８が低速クロック生成部５１９又は高速クロック生成部５２０を制御する状態を示す表である。
制御部５１８は、最初にチップ装着判定部５１３を動作させ、低速クロック生成部５１９を制御する。低速クロック生成部５１９は１秒毎に６４Ｈｚのクロックで１６サンプルのクロックパルスを生成して、低速シーケンサ５０４に与える。低速シーケンサ５０４は入力されたクロックに応じて、赤ＬＥＤ３０３を発光制御するパルスと、Ａ／Ｄ変換器４１３ｂを動作制御するサンプリングクロックを生成する。
チップ装着判定部５１３は、Ａ／Ｄ変換器４１３ｂから１６サンプル分のデータを受け取ると、平均値を算出する。この平均値を所定の閾値と比較して、測定チップ３０８が光学測定部１０３に装着されたか否かを判定する。
【００４４】
制御部５１８は、次に基準値測定部５１４を動作させ、高速クロック生成部５２０を制御する。高速クロック生成部５２０は０．５秒毎に５１２Ｈｚのクロックで１２８サンプルのクロックパルスを生成して、高速シーケンサ５０５に与える。高速シーケンサ５０５は入力されたクロックに応じて、赤ＬＥＤ３０３を発光制御するパルスと、緑ＬＥＤ３０９を発光制御するパルスと、Ａ／Ｄ変換器４１３ｂを動作制御するサンプリングクロックを生成する。
基準値測定部５１４は、Ａ／Ｄ変換器４１３ｂから１２８サンプル分のデータを受け取ると、平均値を算出する。この平均値を所定の閾値と比較して、測定チップ３０８の試験紙５１１に血液が点着する以前の状態の基準値を取得して、ＲＡＭ４０４に記憶する。
【００４５】
制御部５１８は、次に点着判定部５１５を動作させ、高速クロック生成部５２０を制御する。高速クロック生成部５２０は５１２Ｈｚのクロックのクロックパルスを連続的に生成して、高速シーケンサ５０５に与える。高速シーケンサ５０５は入力されたクロックに応じて、赤ＬＥＤ３０３を発光制御するパルスと、緑ＬＥＤ３０９を発光制御するパルスと、Ａ／Ｄ変換器４１３ｂを動作制御するサンプリングクロックを生成する。
点着判定部５１５は、Ａ／Ｄ変換器４１３ｂからデータを受け取ると、１２８サンプルの移動平均値を連続的に算出する。この移動平均値を所定の閾値と比較して、測定チップ３０８の試験紙５１１に血液が点着したか否かを判定する。
点着判定部５１５は、試験紙５１１に血液が点着したと判定したら、制御信号を測定処理部５１６及び高速クロック生成部５２０に出力する。
【００４６】
高速クロック生成部５２０は、点着判定部５１５から制御信号を受け取ると、それまで５１２Ｈｚのクロックのクロックパルスを連続的に生成していた状態から、１秒毎に５１２Ｈｚのクロックで１２８サンプルのクロックパルスを生成する、間歇動作に切り替わる。高速シーケンサ５０５は入力されたクロックに応じて、赤ＬＥＤ３０３を発光制御するパルスと、緑ＬＥＤ３０９を発光制御するパルスと、Ａ／Ｄ変換器４１３ｂを動作制御するサンプリングクロックを生成する。
一方、測定処理部５１６は、点着判定部５１５から制御信号を受け取ると、測定処理を開始する。この後、測定処理部５１６は、Ａ／Ｄ変換器４１３ｂから１２８サンプル分のデータを受け取ると、平均値を算出する。この平均値を所定時間が経過するまでＲＡＭ４０４に順次記憶する。最終的には、不揮発性ストレージ４１４に格納されている検量線データを用いて、血糖値を計算する。
【００４７】
制御部５１８は、次にチップ離脱判定部５１７を動作時は、低速クロック生成部５１９を制御する。低速クロック生成部５１９は１秒毎に６４Ｈｚのクロックで１６サンプルのクロックパルスを生成して、低速シーケンサ５０４に与える。低速シーケンサ５０４は入力されたクロックに応じて、赤ＬＥＤ３０３を発光制御するパルスと、Ａ／Ｄ変換器４１３ｂを動作制御するサンプリングクロックを生成する。
チップ離脱判定部５１７は、Ａ／Ｄ変換器４１３ｂから１６サンプル分のデータを受け取ると、平均値を算出する。この平均値を所定の閾値と比較して、測定チップ３０８が光学測定部１０３から離脱されたか否かを判定する。
【００４８】
チップ装着判定部５１３及びチップ離脱判定部５１７は、光学測定部１０３に対する測定チップ３０８の装着又は離脱を検出する機能ブロックである。したがって、Ａ／Ｄ変換器４１３ｂは「測定チップ３０８の有無」だけが判れば良いので、低速のクロックを用いて赤ＬＥＤ３０３のみ発光させて、少ないサンプルデータで判定する。
これに対し、基準値測定部５１４、点着判定部５１５及び測定処理部５１６は、試験紙５１１に血液が点着する以前の状態の反射光の光量、試験紙５１１に血液が点着した瞬間の判断、そして試験紙５１１に血液が点着して所定時間を経過するまでの連続的に変化する反射光の光量という、具体的な数値データの取得を必要とする機能ブロックである。したがって、Ａ／Ｄ変換器４１３ｂは精度が要求されるので、高速のクロックを用いて赤ＬＥＤ３０３及び緑ＬＥＤ３０９の両方を発光させて、低速の時より多いサンプルデータを取得する。
【００４９】
図７は高速クロック生成部５２０の機能ブロック図である。
５１２Ｈｚクロック生成器７０２は、５１２Ｈｚのクロックパルスを生成する。
ループカウンタ７０３は５１２Ｈｚのクロックパルスを計数し、０から５１１までの数（５１２）を計数する。このループカウンタ７０３には２５６／５１２切替制御信号が制御部５１８から与えられており、この制御信号によって０から５１１までの数、又は０から２５５までの数（２５６）を計数する。なお、リセット端子に信号が与えられている時は、ループカウンタ７０３は計数動作を行わず、０を出力し続ける。
ループカウンタ７０３の出力データ線はデジタルコンパレータ７０４のマイナス側入力端子に接続される。デジタルコンパレータ７０４のプラス側入力端子には、ＲＯＭ４０３に格納されている数値データ「１２７」が閾値７０５として与えられており、デジタルコンパレータ７０４は閾値７０５とループカウンタ７０３の計数値との比較結果をＡＮＤゲート７０６に出力する。
【００５０】
ＡＮＤゲート７０６はデジタルコンパレータ７０４が論理の「真」（高電位）を出力している時に、５１２Ｈｚクロック生成器７０２のクロックパルスを出力する。
つまり、ループカウンタ７０３が最大値５１２を計数する状態のとき、ループカウンタ７０３が０から１２７まで計数している間はデジタルコンパレータ７０４は論理の真を出力する。一方、ループカウンタ７０３が１２８から５１１まで計数している間はデジタルコンパレータ７０４は論理の偽を出力する。したがって、１秒毎に１２８個のクロックパルスがＡＮＤゲート７０６から出力される。これは測定処理部５１６が動作している時の、高速クロック生成部５２０の動作である。
同様に、ループカウンタ７０３が最大値２５６を計数する状態のとき、ループカウンタ７０３が０から１２７まで計数している間はデジタルコンパレータ７０４は論理の真を出力する。一方、ループカウンタ７０３が１２８から２５５まで計数している間はデジタルコンパレータ７０４は論理の偽を出力する。したがって、０．５秒毎に１２８個のクロックパルスがＡＮＤゲート７０６から出力される。これは基準値測定部５１４が動作している時の、高速クロック生成部５２０の動作である。
そして、ループカウンタ７０３にリセット信号を供給し続けている状態のとき、ループカウンタ７０３は０を出力し続けるので、デジタルコンパレータ７０４は論理の真を出力し続ける。したがって、５１２Ｈｚクロック生成器７０２のクロックパルスが連続的にＡＮＤゲート７０６から出力される。これは点着判定部５１５が動作している時の、高速クロック生成部５２０の動作である。
【００５１】
図８は低速クロック生成部５１９の機能ブロック図である。
６４Ｈｚクロック生成器８０２は、６４Ｈｚのクロックパルスを生成する。
ループカウンタ８０３は６４Ｈｚのクロックパルスを計数し、０から６３までの数（６４）を計数する。
ループカウンタ８０３の出力データ線はデジタルコンパレータ８０４のマイナス側入力端子に接続される。デジタルコンパレータ８０４のプラス側入力端子には、ＲＯＭ４０３に格納されている数値「１６」が閾値８０５として与えられており、デジタルコンパレータ８０４は閾値８０５とループカウンタ８０３の計数値との比較結果をＡＮＤゲート８０６に出力する。
【００５２】
低速クロック生成部５１９は、図７の高速クロック生成部５２０の、クロックの周波数と、ループカウンタの計数値と、閾値の数値と、ループカウンタにリセット端子及び計数切替制御線がないこと以外は、回路構成は類似する。
ＡＮＤゲート８０６はデジタルコンパレータ８０４が論理の「真」（高電位）を出力している時に、６４Ｈｚクロック生成器８０２のクロックパルスを出力する。
ループカウンタ８０３が０から１６まで計数している間はデジタルコンパレータ８０４は論理の真を出力する。一方、ループカウンタ８０３が１７から６３まで計数している間はデジタルコンパレータ８０４は論理の偽を出力する。したがって、１秒毎に１６個のクロックパルスがＡＮＤゲート８０６から出力される。これはチップ装着判定部５１３及びチップ離脱判定部５１７が動作している時の、低速クロック生成部５１９の動作である。
【００５３】
図９（ａ）、（ｂ）、（ｃ）及び（ｄ）は、低速クロック生成部５１９及び高速クロック生成部５２０が生成するクロックパルスを示すタイムチャートである。
図９（ａ）は低速クロック生成部５１９が生成するクロックパルスである。０．２５秒の間は１６個のパルスを出力し、０．７５秒の間はパルスを出力しない。これを繰り返す。したがって、１秒毎の周期である。
【００５４】
図９（ｂ）は、制御部５１８が基準値測定部５１４を動作させている時の、高速クロック生成部５２０が生成するクロックパルスである。０．２５秒の間は１２８個のパルスを出力し、０．２５秒の間はパルスを出力しない。これを繰り返す。したがって、０．５秒毎の周期である。
図９（ｃ）は、制御部５１８が測定処理部５１６を動作させている時の、高速クロック生成部５２０が生成するクロックパルスである。０．２５秒の間は１２８個のパルスを出力し、０．７５秒の間はパルスを出力しない。これを繰り返す。したがって、１秒毎の周期である。
図９（ｄ）は、点着判定部５１５が動作している時の、高速クロック生成部５２０が生成するクロックパルスである。図９（ｂ）及び（ｃ）と同じ５１２Ｈｚのクロックを連続的に出力する。
【００５５】
図１０（ａ）、（ｂ）、（ｃ）及び（ｄ）は、高速シーケンサ５０５が生成するタイミングパルス及びサンプリングクロックを示すタイムチャートである。
図１０（ａ）は、高速シーケンサ５０５に入力される、高速クロック生成部５２０が生成するクロックパルスである。
図１０（ｂ）は、高速シーケンサ５０５が出力する、赤ＬＥＤ３０３の発光駆動を制御する、赤ＬＥＤ発光制御信号である。
図１０（ｃ）は、高速シーケンサ５０５が出力する、緑ＬＥＤ３０９の発光駆動を制御する、緑ＬＥＤ発光制御信号である。
図１０（ｄ）は、高速シーケンサ５０５が出力する、Ａ／Ｄ変換器４１３ｂに供給する、サンプリングクロックである。
【００５６】
高速シーケンサ５０５は、高速クロック生成部５２０が生成するクロックパルスのアップエッジで起動する（ｔ１００１）。高速シーケンサ５０５は、クロックパルスのアップエッジに呼応して、図１０（ｂ）に示す時間幅（ｔ１００１からｔ１００３まで）の、赤ＬＥＤ発光制御信号を生成する。
次に、高速シーケンサ５０５は赤ＬＥＤ発光制御信号の立ち上がり（ｔ１００１）から少し遅れて、図１０（ｄ）に示すサンプリングクロックを生成する（ｔ１００２）。Ａ／Ｄ変換器４１３ｂはこれを受けて、赤ＬＥＤ３０３が発光している状態における、試験紙５１１の反射光の信号電圧をデータ化する。
次に、高速シーケンサ５０５は赤ＬＥＤ発光制御信号の立ち下がり（ｔ１００３）から少し遅れて、図１０（ｄ）に示すサンプリングクロックを生成する（ｔ１００４）。Ａ／Ｄ変換器４１３ｂはこれを受けて、赤ＬＥＤ３０３が発光していない状態における、試験紙５１１の反射光の信号電圧をデータ化する。
次に、高速シーケンサ５０５は図１０（ｃ）に示す時間幅（ｔ１００５からｔ１００７まで）の、緑ＬＥＤ発光制御信号を生成する。
次に、高速シーケンサ５０５は緑ＬＥＤ発光制御信号の立ち上がり（ｔ１００５）から少し遅れて、図１０（ｄ）に示すサンプリングクロックを生成する（ｔ１００６）。Ａ／Ｄ変換器４１３ｂはこれを受けて、緑ＬＥＤ３０９が発光している状態における、試験紙５１１の反射光の信号電圧をデータ化する。
次に、高速シーケンサ５０５は緑ＬＥＤ発光制御信号の立ち下がり（ｔ１００７）から少し遅れて、図１０（ｄ）に示すサンプリングクロックを生成する（ｔ１００８）。Ａ／Ｄ変換器４１３ｂはこれを受けて、緑ＬＥＤ３０９が発光していない状態における、試験紙５１１の反射光の信号電圧をデータ化する。
【００５７】
以上の説明で判るように、高速シーケンサ５０５は、高速クロック生成部５２０が生成するクロックパルスのアップエッジに呼応して、赤ＬＥＤ３０３及び緑ＬＥＤ３０９を交互に発光させ、その間にＡ／Ｄ変換器４１３ｂを二回ずつ駆動させる。Ａ／Ｄ変換器４１３ｂは、赤ＬＥＤ３０３及び緑ＬＥＤ３０９の、点灯している時と消灯している時の、夫々の状態をサンプリングして、データを出力する。
【００５８】
図１１（ａ）、（ｂ）及び（ｃ）は、低速シーケンサ５０４が生成するタイミングパルス及びサンプリングクロックを示すタイムチャートである。
図１１（ａ）は、低速シーケンサ５０４に入力される、低速クロック生成部５１９が生成するクロックパルスである。
図１１（ｂ）は、低速シーケンサ５０４が出力する、赤ＬＥＤ３０３の発光駆動を制御する、赤ＬＥＤ発光制御信号である。
図１１（ｃ）は、低速シーケンサ５０４が出力する、Ａ／Ｄ変換器４１３ｂに供給する、サンプリングクロックである。
【００５９】
低速シーケンサ５０４は、低速クロック生成部５１９が生成するクロックパルス（図１１（ａ））のアップエッジで起動する（ｔ１１０１）。低速シーケンサ５０４は、クロックパルスのアップエッジに呼応して、図１１（ｂ）に示す時間幅（ｔ１１０１からｔ１１０３まで）の、赤ＬＥＤ発光制御信号を生成する。
次に、低速シーケンサ５０４は赤ＬＥＤ発光制御信号の立ち上がり（ｔ１１０１）から少し遅れて、図１１（ｃ）に示すサンプリングクロックを生成する（ｔ１１０２）。Ａ／Ｄ変換器４１３ｂはこれを受けて、赤ＬＥＤ３０３が発光している状態における、試験紙５１１の反射光の信号電圧をデータ化する。
次に、低速シーケンサ５０４は赤ＬＥＤ発光制御信号の立ち下がり（ｔ１１０３）から少し遅れて、図１１（ｃ）に示すサンプリングクロックを生成する（ｔ１１０４）。Ａ／Ｄ変換器４１３ｂはこれを受けて、赤ＬＥＤ３０３が発光していない状態における、試験紙５１１の反射光の信号電圧をデータ化する。
【００６０】
以上の説明で判るように、低速シーケンサ５０４は、低速クロック生成部５１９が生成するクロックパルスのアップエッジに呼応して、赤ＬＥＤ３０３を発光させ、その間にＡ／Ｄ変換器４１３ｂを二回ずつ駆動させる。Ａ／Ｄ変換器４１３ｂは、赤ＬＥＤ３０３の、点灯している時と消灯している時の、夫々の状態をサンプリングして、データを出力する。
【００６１】
［動作］
血糖計は、先に説明したように血液を所定の試薬に反応させ、その変化を検出し、血糖値を算出する。精密に計測するならば、血液の試薬との反応時間を十分確保すれば、反応が最終的に安定し、血糖値を単純な反射光の強弱のみで検出することができる。しかし、病院内での血糖値測定作業は多数の患者を相手にするため、血糖値測定作業は迅速に行われなければならない。そこで、血糖計１０１では、検量線データを用いて、血液の試薬との反応の途中で血糖値を算出する、短時間での血糖値測定を実現している。
【００６２】
短時間に血糖値を測定するために、血糖計１０１は試験紙５１１に対する血液の点着のタイミングを正確に取得する必要がある。取得した点着のタイミングが、本来のタイミングと時間軸上のズレがあれば、それは誤差となって現れる。この測定誤差を、許容範囲内に収めなければならない。
例えば、本実施形態の血糖計１０１の測定時間は９秒と設定されているが、仮にサンプリングクロックが１Ｈｚであった場合、最大で２秒の誤差が生じることとなってしまう。前述の通り、血液の試薬との反応の途中で血糖値を算出するので、２秒を経過すればそれだけ反応も進行してしまい、大きな誤差を生じることとなる。
誤差を低減するには、サンプリングクロックを高い周波数に設定すればよい。しかし、サンプリングクロックの周波数を上げる、ということは、Ａ／Ｄ変換器４１３ｂをそれだけ多く稼動させることとなる。一般に、Ａ／Ｄ変換器は電力消費が大きいので、電池駆動の携帯型機器で高いサンプリングクロックを設定することは、電池の消耗を早め、稼働時間を短縮してしまうので好ましくない。
【００６３】
そこで、本実施形態では、血液の試験紙５１１への点着を確認する段階においてのみ、サンプリングクロックを高める手法を採用した。そして、血液の試験紙５１１への点着を確認した瞬間から、測定処理のためのタイマを起動するように測定処理部５１６を制御すると共に、Ａ／Ｄ変換器４１３ｂのサンプリングクロックを与えるように、高速クロック生成部５２０を構成した。
【００６４】
図１２は、血糖値を測定する際に、検量線データを用いて算出した測定値を時間の経過と共に示すグラフである。本実施形態の血糖計は、このグラフの０秒の時点の値から９秒の時点の値までを取得することとなる。
測定誤差は、測定終了時点である９秒の時点のグラフの傾きに依存する。このことを考慮すると、サンプリング時間間隔（サンプリングクロックの周波数の逆数）Ｔｓａｍｐｌｅと、グラフの傾きΔｆと、血糖計に要求される分解能εとは、以下の式の関係になる。
【００６５】
【数１】
2011064596.tif 000003
【００６６】
上記式によれば、測定時間によって傾きが異なる反応曲線で、それぞれの測定時間における最適なサンプリング時間間隔の最大値（クロック周波数の最小値）を求めることができる。
本実施形態の血糖計１０１は、表示される血糖値の最小値を１ｍｇ／ｄＬとしている。通常、電子式測定機器の分解能は、表示値に対して１０倍以上を要求されるので、要求される分解能を０．１ｍｇ／ｄＬ、傾きを４０ｍｇ／ｄｌ／ｓｅｃとすると、サンプリング時間間隔は０．００２５秒、サンプリングクロックの周波数（サンプリング時間間隔の逆数）は４００Ｈｚとなる。なお、デジタル機器の設計の都合上、二進法で扱いやすい数字として、本実施形態の血糖計１０１は、５１２Ｈｚを採用している。
【００６７】
本実施形態においては、血糖計を開示した。
血糖計の動作モードに応じてサンプリングクロックを適切に設定し、特に測定開始を決定するモードでは高速のクロックパルスを連続して生成し、点着を検出した時点からタイマ等の計測動作を開始すると共に、クロックパルスの生成を間歇的なものに切り替えるように、クロック生成部を構成した。クロックパルスは要求される分解能と血糖値の測定曲線の傾きに基づいて決定した。
このように血糖計を構成することで、必要な精度を備えつつ、電力消費を極力低減した血糖計を実施できる。
【００６８】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００６９】
１０１…血糖計、１０２…筐体、１０３…光学測定部、１０４…イジェクトレバー、１０５…表示パネル、１０６…操作パネル、２０２…回路基板、２０３…内部温サーミスタ、２５６…最大値、３０２…筒、３０４…フォトダイオード、３０５…基台、３０６…ガラス窓、３０７…外気温サーミスタ、３０８…測定チップ、４０２…ＣＰＵ、４０３…ＲＯＭ、４０４…ＲＡＭ、４０５…バス、４０７…リアルタイムクロック、４０８…ボタン操作部、４１０…ドライバ、４１１…Ｄ／Ａ変換器、４１３…Ａ／Ｄ変換器、４１３ｂ…Ａ／Ｄ変換器、４１４…不揮発性ストレージ、４１５…ＬＣＤ表示部、４２４…ドライバ、５０３…スイッチ、５０４…低速シーケンサ、５０５…高速シーケンサ、５０６…ＯＲゲート、５０８…スイッチ、５１１…試験紙、５１２…ＯＲゲート、５１３…チップ装着判定部、５１４…基準値測定部、５１５…点着判定部、５１６…測定処理部、５１７…チップ離脱判定部、５１８…制御部、５１９…低速クロック生成部、５２０…高速クロック生成部、Ｒ５０２、Ｒ５０７、Ｒ５１０…分圧抵抗、７０２…５１２Ｈｚクロック生成器、７０３…ループカウンタ、７０４…デジタルコンパレータ、７０５…閾値、７０６…ＡＮＤゲート、８０２…６４Ｈｚクロック生成器、８０３…ループカウンタ、８０４…デジタルコンパレータ、８０５…閾値、８０６…ＡＮＤゲート
【図１】
2011064596.tif 000004
【図２】
2011064596.tif 000005
【図３】
2011064596.tif 000006
【図４】
2011064596.tif 000007
【図５】
2011064596.tif 000008
【図６】
2011064596.tif 000009
【図７】
2011064596.tif 000010
【図８】
2011064596.tif 000011
【図９】
2011064596.tif 000012
【図１０】
2011064596.tif 000013
【図１１】
2011064596.tif 000014
【図１２】
2011064596.tif 000015